(57)【要約】【課題】取付作業性を向上させるとともに、蛍光ランプの落下を確実に防止することができる照明器具を提供する。【解決手段】蛍光ランプ２０の一方の端部を第１のソケット４０に挿入して、口金部２２の段部２４と第１のソケットの段部４５とを嵌合させ、ランプピン２３を第１のソケット４０に嵌合させる。このとき、蛍光ランプ２０を挿入した第１のソケット４０が、蛍光ランプ２０の他方の端部を上下させる方向へ回動可能となっているので、蛍光ランプ２０の他方の端部を第２のソケット５０に押し込んで、口金部２２の段部２４を第２のソケット５０の保持部５４により弾性的に保持するとともにランプピン２３を第２のソケット５０に嵌合させる。また、段部２４、４５が嵌合した後にランプピン２３が第１のソケット４０に嵌合するので、ランプピン２３の嵌合位置を確認することなく取付けることができる。【選択図】図１
2010108648.tif 000002
【特許請求の範囲】
【請求項１】
直管の蛍光管の両端部付近の外周面に設けられた口金部から当該蛍光管の軸方向に対して直交する方向に突出して設けられた一対のランプピンを有する蛍光ランプと、
前記ランプピンを保持して電力を供給する一対のソケットを有する照明器具本体と、を備えた照明器具であって、
前記一対のソケットが、前記蛍光管の軸方向一方の端部付近に設けられた第１のソケットと、他方の端部付近に設けられた第２のソケットとを有し、
前記第１のソケットが、前記照明器具本体における前記ソケットの取付面に平行で、かつ、前記蛍光ランプの軸方向に垂直な回動軸回りに回動可能に設けられ、
前記第２のソケットが、前記口金部を保持する保持部を有し、
前記口金部または前記ランプピンおよび前記第１のソケットには、前記軸方向と平行な段部を設け、
前記第１のソケットに前記蛍光ランプの前記一方の端部を軸方向に挿入することにより、前記口金部または前記ランプピンの段部と前記第１のソケットの段部とが嵌合した後に、前記ランプピンが前記第１のソケットに嵌合し、
その後、前記第１のソケットを回動させて前記蛍光ランプの前記他方の端部を前記第２のソケットに押し込むことにより、前記口金部の段部が前記第２のソケットの保持部により弾性的に保持されるとともに前記ランプピンが前記第２のソケットに嵌合することを特徴とする照明器具。
【請求項２】
前記第１のソケットに、挿入された前記蛍光ランプと弾性的に接触し当該蛍光ランプを前記軸方向に押し出すバネを設け、
前記第２のソケットに、前記蛍光ランプがスライドすることにより前記第２のソケット側の口金部の段部と嵌合する段部を設け、
前記蛍光ランプの一端を前記第１のソケットに挿入した後、さらに前記蛍光ランプを挿入して前記バネを圧縮し、前記第２のソケット側の口金部の段部を前記第２のソケットの段部に挿入した後、前記バネの弾性力により前記第２のソケット側の口金部の段部が、前記第２のソケットの段部に挿入されることを特徴とする請求項１記載の照明器具。
【請求項３】
前記ランプピンの先端に径方向に突出する拡径部を設けたことを特徴とする請求項1または２記載の照明器具。
【請求項４】
前記照明器具本体に前記軸方向外側に向かって深くなる窪みを所定間隔で設け、前記窪みに前記第１のソケットおよび第２のソケットを取付けたことを特徴とする請求項１ないし請求項３のいずれかに記載の照明器具。
【発明の詳細な説明】
【技術分野】
【０００１】
本発明は、直管蛍光ランプを用いた照明器具に関するものである。
【背景技術】
【０００２】
従来より、直管の蛍光管の軸方向に対して直交する方向へ突出して設けられた一対のランプピンを有する蛍光ランプが用いられている照明器具が提案されている（例えば特許文献１参照）。
【０００３】
図２０（Ａ）に示すように、蛍光ランプ１００は、棒状の蛍光管１０１の周面すなわち主発光面に口金部１０２が取り付けられている。口金部１０２は、主発光面に固着された口金部本体１０３と、口金部本体１０３上に主発光面に対して直交方向（下方）に立設された２本のランプピン１０４を備えている。
【０００４】
また、口金部本体１０３は、ランプピン１０４と略平行に延びる係止用突出部１０５を有している。図２０（Ｂ）に示すように、係止用突出部１０５は、下端に略円柱状の頭部１０６と、頭部１０６の上方に連接する首部１０７を有している。
【０００５】
従って、上述した蛍光ランプ１００をソケットに取り付けるには、先ず、蛍光ランプ１００の係止用突出部１０５の頭部１０６を、ソケットの弾性部材からなる保持部により保持するとともに、ランプピン１０４をソケットのスロットに挿入する。
また、蛍光ランプ１００を逆方向に引き抜くことにより、蛍光ランプ１００を取り外すことができる。
【特許文献１】特開２００８−１１７６８２号公報（第１図）
【発明の開示】
【発明が解決しようとする課題】
【０００６】
しかしながら、前述したような照明器具においては、ランプピン１０４をソケットに押し込むとともに、弾性部材により蛍光ランプ１００の口金部１０２を保持しているので、弾性部材が外力や経年により変形したり、弾性部材が口金部１０２と十分に嵌合していない場合には、蛍光ランプ１００が落下するおそれがあるという問題があった。
また、蛍光ランプ１００を取付ける際には、両手で蛍光ランプ１００の両端部を保持しなければならず、装着作業性が悪いという問題があった。
【０００７】
本発明は、従来の問題を解決するためになされたもので、取付作業性を向上させるとともに、蛍光ランプの落下を確実に防止することができる照明器具を提供することを目的とする。
【課題を解決するための手段】
【０００８】
本発明の照明器具は、直管の蛍光管の両端部付近の外周面に設けられた口金部から当該蛍光管の軸方向に対して直交する方向に突出して設けられた一対のランプピンを有する蛍光ランプと、前記ランプピンを保持して電力を供給する一対のソケットを有する照明器具本体と、を備えた照明器具であって、前記一対のソケットが、前記蛍光管の軸方向一方の端部付近に設けられた第１のソケットと、他方の端部付近に設けられた第２のソケットとを有し、前記第１のソケットが、前記照明器具本体における前記ソケットの取付面に平行で、かつ、前記蛍光ランプの軸方向に垂直な回動軸回りに回動可能に設けられ、前記第２のソケットが、前記口金部を保持する保持部を有し、前記口金部または前記ランプピンおよび前記第１のソケットには、前記軸方向と平行な段部を設け、前記第１のソケットに前記蛍光ランプの前記一方の端部を軸方向に挿入することにより、前記口金部または前記ランプピンの段部と前記第１のソケットの段部とが嵌合した後に、前記ランプピンが前記第１のソケットに嵌合し、その後、前記第１のソケットを回動させて前記蛍光ランプの前記他方の端部を前記第２のソケットに押し込むことにより、前記口金部の段部が前記第２のソケットの保持部により弾性的に保持されるとともに前記ランプピンが前記第２のソケットに嵌合する構成を有している。
【０００９】
この構成により、蛍光ランプの一方の端部を第１のソケットに挿入して、口金部またはランプピンの段部と第１のソケットの段部とを嵌合させ、ランプピンを第１のソケットに嵌合させる。このとき、蛍光ランプを挿入した第１のソケットが、蛍光ランプの他方の端部を上下させる方向へ回動可能となっているので、蛍光ランプを回動させることにより他方の端部を第２のソケットに押し込んで、口金部の段部を第２のソケットの保持部により弾性的に保持するとともにランプピンを第２のソケットに嵌合させる。このため、蛍光ランプの両端を持つ必要がなく、長い蛍光ランプであっても片手で蛍光ランプをソケットに装着することができ、取付け作業性を向上させることができる。また、段部が嵌合した後にランプピンが第１のソケットに嵌合するので、ランプピンの嵌合位置を確認することなく取付けることができ、さらに取付け作業性を向上させることができる。
【００１０】
また、本発明の照明器具は、前記第１のソケットに、挿入された前記蛍光ランプと弾性的に接触し当該蛍光ランプを前記軸方向に押し出すバネを設け、前記第２のソケットに、前記蛍光ランプがスライドすることにより前記第２のソケット側の口金部の段部と嵌合する段部を設け、前記蛍光ランプの一端を前記第１のソケットに挿入した後、さらに前記蛍光ランプを挿入して前記バネを圧縮し、前記第２のソケット側の口金部の段部を前記第２のソケットの段部に挿入した後、前記バネの弾性力により前記第２のソケット側の口金部の段部が、前記第２のソケットの段部に挿入される構成を有している。
【００１１】
この構成により、蛍光ランプの一端を第１のソケットに挿入した後、さらにバネ力に抗して蛍光ランプを挿入方向へ押し込み、蛍光ランプの他端を持ち上げて、第２のソケット側の口金部の段部を第２のソケットの段部に挿入する。その後、バネの反発力により口金部の段部を第２のソケットの段部に挿入するので、確実に嵌合する。これにより、蛍光ランプの落下を確実に防止することができる。
【００１２】
さらに、本発明の照明器具は、前記ランプピンの先端に径方向に突出する段部を設けた構成を有している。
【００１３】
この構成により、ランプピンの先端の段部をソケットの段部に嵌合させることにより、蛍光ランプの落下を確実に防止することができる。
【００１４】
さらに、本発明の照明器具は、前記照明器具本体に前記軸方向外側に向かって深くなる窪みを設け、前記窪みに前記第１のソケットおよび第２のソケットを取付けた構成を有している。
【００１５】
この構成により、蛍光ランプをソケットに挿入する際に、窪みに沿って挿入することができるので、ランプピンが途中で引っかかることなく、容易に挿入することができる。
【発明の効果】
【００１６】
本発明は、蛍光ランプの両端を持つ必要がなく、長い蛍光ランプであっても片手で蛍光ランプをソケットに装着することができ、取付け作業性を向上させることができるという効果を有する照明器具を提供することができるものである。
【発明を実施するための最良の形態】
【００１７】
以下、本発明の実施の形態の照明器具について、図面を用いて説明する。
【００１８】
（第１実施形態）
図１（Ａ）〜（Ｃ）は本発明の第１実施形態にかかる照明器具において蛍光ランプを装着する工程を示す斜視図、図２は蛍光ランプの斜視図、図３は第１のソケットの斜視図、図４は第１のソケットの分解斜視図、図５は第２のソケット斜視図、図６は第２のソケットの分解斜視図、図７（Ａ）は照明器具本体の斜視図、図７（Ｂ）は（Ａ）中Ｂ部分の拡大図である。
【００１９】
図１および図２に示すように、第１実施形態にかかる照明器具１０は、直管の蛍光管２１の両端部付近に設けられた口金部２２およびこの口金部２２に設けられた一対のランプピン２３を有する蛍光ランプ２０と、ランプピン２３を保持して電力を供給する一対のソケット４０、５０を有する照明器具本体３０を備えている。
【００２０】
図２に示すように、蛍光ランプ２０の口金部２２の左右の側面２２１上部には、口金部２２の幅方向外側へ突出した段部２４が、蛍光管の軸方向（以後、「軸方向」という。）に沿って設けられている。また、一対のランプピン２３、２３は、口金部２２の上面２２２から、軸方向に対して直交する方向である上方へ突出して設けられている。
【００２１】
一対のソケット４０、５０は、軸方向の一方の端部付近に設けられた第１のソケット４０と、他方の端部付近に設けられた第２のソケット５０とを有する。
【００２２】
図３および図４に示すように、第１のソケット４０は、照明器具本体３０における第１のソケット４０の取付面３０１に平行で、かつ、蛍光ランプ２０の軸方向に垂直な回動軸４１回りに、上下方向（図３中矢印Ａ方向）へ回動可能に設けられている。
【００２３】
第１のソケット４０は、下面および軸方向中心側（図３中右側）が開口した矩形箱状のソケット本体４２を有する。ソケット本体４２の側板下部には軸方向外側（図３中左側）に突出して軸受部４３が設けられており、回動軸４１に回動可能に取付けられる。ソケット本体４２の側板上部には、ガイド突起４４が設けられている。ソケット本体４２の側板内面下端部には、内側へ突出する段部４５が軸方向に設けられている。
【００２４】
ソケット本体４２の下面および軸方向中心側面は、Ｌ字状に屈曲形成されたカバー４６によって覆われる。カバー４６の下面および前面には、ランプピン２３が通過可能な一対の切欠き４６１、４６１が設けられている。ソケット本体４２の内部には、切欠き４６１に対応して各々端子板４７が取付けられている。
【００２５】
端子板４７は、軸方向外側に、照明器具本体３０に取付けられている点灯装置（図示省略）からの電線が接続される連結端子部４７１を有し、軸方向中心側にはランプピン２３を保持して通電するランプピン保持部４７２を有する。ランプピン保持部４７２は、軸方向中心側から移動してくるランプピン２３を容易に保持できるように、軸方向中心側端部が外側に拡がっている。
【００２６】
図５および図６に示すように、第２のソケット５０は、下面および軸方向中心側（図５中左側）が開口した矩形箱状のソケット本体５１を有する。ソケット本体５１の下面および軸方向中心側面は、Ｌ字状に屈曲形成されたカバー５２によって覆われる。カバー５２の下面には、ランプピン２３が通過可能な一対の長円形状をした切欠き５２１、５２１が設けられている。
【００２７】
ソケット本体５１の内部には、切欠き５２１に対応して各々端子板５３が取付けられている。端子板５３は、軸方向外側端部に、照明器具本体３０に取付けられている点灯装置（図示省略）からの電線が接続される連結端子部５３１を有し、軸方向中心側にはランプピン２３を保持して通電するランプピン保持部５３２を有する。ランプピン保持部５３２では、下方からカバー５２の切欠き５２１を貫通して挿入されるランプピン２３を容易に保持できるように、下端部が外側に拡がっている。
【００２８】
ソケット本体５１には、上方から全体Ｃ字形状をした弾性部材からなる保持部としての保持部材５４が被せられている。保持部材５４の上板５４２は、ソケット本体５１の上板に設けられている凹部５１１に嵌合しており、保持部材５４の位置ずれを防止している。保持部材５４の両下端には、内側へ突出する段部５４１が各々設けられており、蛍光ランプ２０の口金部２２に設けられている段部２４に嵌合してこれを保持する。
【００２９】
図１および図７に示すように、照明器具本体３０の軸方向両端部には、軸方向外側に向かって深くなる傾斜面３２１を有する窪み３２が各々設けられており、前述した第１のソケット４０および第２のソケット５０が取付けられる。
従って、照明器具本体３０に取付けられた第１のソケット４０および第２のソケット５０は、窪み３２に収容されて見えなくなるので、外観が向上する。
【００３０】
第１のソケット４０が取付けられる窪み３２（図７において左側の窪み）の側面３２２には、内側に突出する円柱状の軸突起３２３が設けられている。この軸突起３２３は、第１のソケット４０の軸受部４３に嵌合して第１のソケット４０を回動可能に保持する。また、側面３２２には、軸突起３２３を中心とした円弧状のガイド凹部３２４が設けられており、第１のソケット４０のソケット本体４２に設けられているガイド突起４４が嵌合し、第１のソケット４０の回動をスムーズにガイドする。
【００３１】
この構成により、蛍光ランプ２０を第１のソケット４０に挿入する際に、窪み３２に沿って挿入することができるので、ランプピン２３が途中で引っかかることなく、容易に挿入することができる。
【００３２】
次に、蛍光ランプ２０を照明器具本体３０に装着する動作について説明する。
図１（Ａ）に示すように、第１のソケット４０は、その自重により軸方向中心側が下方へ傾斜して、窪み３２の傾斜面３２１と略平行になっている。蛍光ランプ２０の口金部２２の段部２４と第１のソケット４０の段部４５とを合わせ、傾斜面３２１に沿わせて蛍光ランプ２０を第１のソケット４０に挿入する。これにより、口金部２２に設けられているランプピン２３が、第１のソケット４０の端子板４７のランプピン保持部４７２に保持されて導通する。
【００３３】
次いで、図１（Ｂ）に示すように、蛍光ランプ２０の第２のソケット５０側を持ち上げて、口金部２２を第２のソケット５０に押し込む。
これにより、図１（Ｃ）に示すように、口金部２２に設けられているランプピン２３が、第２のソケット５０の端子板５３のランプピン保持部５３２に保持されて導通するとともに、口金部２２の段部２４が保持部材５４の段部５４１に保持される。
【００３４】
以上、説明した第１実施形態にかかる照明器具１０によれば、蛍光ランプ２０の装着時に両端を持つ必要がなく、長い蛍光ランプ２０であっても片手でソケット４０、５０に装着することができ、取付け作業性を向上させることができる。また、口金部２２の段部２４と第１のソケット４０の段部４５とが嵌合した後にランプピン２３が第１のソケット４０に嵌合するので、ランプピン２３の嵌合位置を確認することなく取付けることができ、さらに取付け作業性を向上させることができる。
【００３５】
（第２実施形態）
次に、第２実施形態にかかる照明器具について説明する。
図８（Ａ）は第２実施形態にかかる照明器具の要部を示す斜視図、図８（Ｂ）は（Ａ）中Ｂ部分の拡大図、図９は第１のソケットの斜視図、図１０は蛍光ランプ未装着時における第１のソケットの状態を示す斜視図である。なお、前述した第１実施形態にかかる照明器具と共通する部位には同じ符号を付して、重複する説明を省略することとする。
【００３６】
図８に示すように、第２実施形態にかかる照明器具１０Ｂでは、第１のソケット４０を回動軸４１回りに回動（図９中矢印Ｂ方向）させて、第１のソケット４０の軸方向中心側を窪み３２から露出させるようにするコイルスプリング４９を設けた。すなわち、コイルスプリング４９の一方の端部を第１のソケット４０のソケット本体４２に設けた突起４２２（図９参照）に係止し、他方の端部を照明器具本体３０に設けたバネ用突起３３（図８（Ｂ）参照）に係止した。
【００３７】
これにより、図１０に示すように、蛍光ランプ２０を装着していない状態では、第１のソケット４０は矢印Ａ方向へ付勢されて、第１のソケット４０の軸方向中心側（図１０において右側）が窪み３２から露出する。
【００３８】
以上、説明した第２実施形態にかかる照明器具１０Ｂによれば、第１のソケット４０は、コイルスプリング４９の付勢力により軸方向中心側が窪み３２から露出しているので、蛍光ランプ２０を窪み３２の傾斜面３２１（図７参照）に沿わせて矢印Ｂ方向へ挿入することにより、容易に装着することができる。
【００３９】
（第３実施形態）
次に、第３実施形態にかかる照明器具について説明する。
図１１（Ａ）〜（Ｃ）は本発明の第３実施形態にかかる照明器具において蛍光ランプを装着する工程を示す斜視図、図１２は第１のソケットの斜視図、図１３は第１のソケットの分解斜視図、図１４は第２のソケットの斜視図、図１５は第２のソケットと蛍光ランプとの取付け状態を示す側面図である。なお、前述した第１実施形態および第２実施形態にかかる照明器具と共通する部位には同じ符号を付して、重複する説明を省略することとする。
【００４０】
第３実施形態にかかる照明器具１０Ｃでは、図１２および図１３に示すように、第１のソケット４０のソケット本体４２の軸方向外側版４２１に、挿入された蛍光ランプ２０と弾性的に接触するバネ４８を設けた。
【００４１】
また、図１４に示すように、第２のソケット５０には、ソケット本体５１の側板５１２の下端部内面における軸方向外側端部に、段部５１３を設けた。また、カバー５２には、カバー５２の縦板５２３に開口する切欠き５２２を設けた。切欠き５２２の内側には、図６で示した端子板５３が設けられている。
【００４２】
なお、図１４においては、ソケット本体５１の下面および軸方向中心側面を覆うカバー５２に、軸方向中心側面まで開口した切欠き５２２を設けたが、図５および図６において前述したような長円形の切欠き５２１でも可能である。すなわち、蛍光ランプ２０の第２のソケット５０側端部を押し上げて第２のソケット５０に挿入した後に、ランプピン２３が軸方向外側へスライド可能な形状となっていれば良い。
【００４３】
次に、蛍光ランプ２０を照明器具本体３０に装着する動作について説明する。
図１１（Ａ）に示すように、蛍光ランプ２０の口金部２２の段部２４と、第１のソケット４０の段部４５を嵌合させて、蛍光ランプ２０を第１のソケット４０内部に挿入する（図１１（Ａ）中矢印Ａ１）。
【００４４】
次いで、図１１（Ｂ）に示すように、第１のソケット４０のバネ４８を弾性変形させながら、蛍光ランプ２０をさらに挿入（図１１（Ａ）中矢印Ａ２）する。そして、蛍光ランプ２０の第２のソケット５０側端部を持ち上げて水平にし、口金部２２の段部２４を第２のソケット５０の段部５１３よりも上側へ位置決めする（図１１（Ａ）中矢印Ｂ）。
【００４５】
その後、バネ４８の反発力により蛍光ランプ２０を軸方向に移動させて（図１１（Ｂ）および図１５中矢印Ｃ）、図１１（Ｃ）および図１５に示すように、口金部２２の段部２４と第２のソケット５０の段部５１３を嵌合させる。
【００４６】
以上、説明した第３実施形態にかかる照明器具１０Ｃによれば、蛍光ランプ２０の一端を第１のソケット４０に挿入した後、さらにバネ４８の力に抗して蛍光ランプ２０を挿入方向へ押し込んだ状態で、蛍光ランプ２０の他端を持ち上げて、口金部２２の段部２４を第２のソケット５０の段部５１３に挿入する。その後、バネ４８の反発力により口金部２２の段部２４を第２のソケット５０の段部５１３に挿入するので、確実に嵌合する。これにより、蛍光ランプ２０の落下を確実に防止することができる。
【００４７】
（第４実施形態）
次に、第４実施形態にかかる照明器具について説明する。
図１６は本発明の第４実施形態にかかる照明器具に用いる蛍光ランプの斜視図、図１７は蛍光ランプを第１のソケットに装着する状態を示す斜視図、図１８は第２のソケットの斜視図である。なお、前述した第１実施形態〜第３実施形態にかかる照明器具と共通する部位には同じ符号を付して、重複する説明を省略することとする。
【００４８】
図１６に示すように、第４実施形態にかかる照明器具１０Ｄでは、ランプピン２３Ｄの先端に径方向に突出する段部２３１を設けた。すなわち、図１７に示すように、ランプピン２３Ｄは、口金部２２Ｄの上面２２２に植設された支柱部２３２と、支柱部２３２の上端に設けられ外径が支柱部２３２の外径よりも大きな段部２３１を有している。なお、口金部２２Ｄには、前述した段部２４は設けられていない。
【００４９】
図１７に示すように、第１のソケット４０Ｄでは、カバー４６Ｄの縦板４６３に設けられている切欠き４６１の上端に、ランプピン２３Ｄの段部２３１が嵌合する段部としての嵌合部４６２を設けた。この嵌合部４６２は、カバー４６Ｄの内側において、軸方向に連続して設けられている。なお、第１のソケット４０Ｄのソケット本体４２Ｄには、前述した段部４５は設けられていない。
【００５０】
また、図１８に示すように、第２のソケット５０Ｄでは、カバー５２Ｄの縦板５２３に設けられている切欠き５２２の上端に、ランプピン２３Ｄの段部２３１が嵌合する段部としての嵌合部５２４を設けた。この嵌合部５２４は、カバー５２Ｄの内側において、軸方向に連続して設けられている。なお、第２のソケット５０Ｄのソケット本体５１Ｄには、前述した段部５１３は設けられていない。
【００５１】
次に、蛍光ランプ２０Ｄを照明器具本体３０Ｄに装着する動作について説明する。
図１７に示すように、蛍光ランプ２０Ｄのランプピン２３Ｄの段部２３１を第１のソケット４０Ｄのカバー４６Ｄに設けられている切欠き４６１の嵌合部４６２に挿入して嵌合させる。
【００５２】
そして、蛍光ランプ２０Ｄの第２のソケット５０Ｄ側のランプピン２３Ｄの段部２３１を第２のソケット５０Ｄのカバー５２Ｄに設けられている切欠き５２２の嵌合部５２４に挿入し、蛍光ランプ２０Ｄを軸方向外側に移動させて、ランプピン２３Ｄの段部２３１と第２のソケット５０Ｄの嵌合部５２４とを嵌合させる。
【００５３】
以上、説明した第４実施形態にかかる照明器具１０Ｄによれば、ランプピン２３Ｄの先端の段部２３１を第１のソケット４０Ｄの嵌合部４６２に嵌合させるとともに、第２のソケット５０Ｄの嵌合部５２４に嵌合させることにより、蛍光ランプ２０Ｄの落下を確実に防止することができる。
また、ソケット本体４２Ｄ、５１Ｄに段部を設ける必要がないので、第１のソケット４０および第２のソケット５０の製作が容易になる。
【００５４】
（第５実施形態）
次に、第５実施形態にかかる照明器具について説明する。
図１９は本発明の第５実施形態にかかる照明器具の要部を示す斜視図である。なお、前述した第１実施形態〜第４実施形態にかかる照明器具と共通する部位には同じ符号を付して、重複する説明を省略することとする。
【００５５】
図１９に示すように、第５実施形態にかかる照明器具１０Ｅは、第４実施形態にかかる照明装置１０Ｄの第２のソケット５０Ｄの変形例である。なお、ランプピン２３Ｄは第４実施形態と共通である。
【００５６】
すなわち、第２のソケット５０Ｅのカバー５２Ｅに設ける切欠き５２２を、ランプピン２３Ｄの段部２３１が通過可能な丸穴部５２５と、丸穴部５２５に連続する幅狭の段部としての長穴部５２６とで構成する。
【００５７】
従って、蛍光ランプ２０Ｅを装着する際には、前述した第４実施例にかかる照明器具１０Ｄと同様にして第１のソケット４０Ｄ側を装着する。そして、第２のソケット５０Ｅ側を装着する際には、蛍光ランプ２０Ｄのランプピン２３Ｄの段部２３１を第２のソケット５０Ｅの丸穴部５２５の真下から上方へ挿入し、蛍光ランプ２２０Ｄを軸方向外側（図１９において右側）へ移動させる。これにより、ランプピン２３Ｄの段部２３１は、長穴部５２６により保持される。
【００５８】
以上、説明した第５実施形態にかかる照明器具１０Ｅによれば、第２のソケット５０Ｅに設ける切欠き５２２を、ランプピン２３Ｄの段部２３１が通過可能な丸穴部５２５と、丸穴部５２５に連続する幅狭の段部としての長穴部５２６とで構成したので、蛍光ランプ２０Ｄの落下を確実に防止することができる。
また、ソケット本体５１Ｅに段部を設ける必要がないので、第２のソケット５０Ｅの製作が容易になる。
【００５９】
なお、本発明の照明器具は、前述した各実施形態に限定されるものでなく、適宜な変形，改良等が可能である。
【図面の簡単な説明】
【００６０】
【図１】（Ａ）〜（Ｃ）は本発明の第１実施形態にかかる照明器具において蛍光ランプを装着する工程を示す斜視図
【図２】蛍光ランプの斜視図
【図３】第１のソケットの斜視図
【図４】第１のソケットの分解斜視図
【図５】第２のソケット斜視図
【図６】第２のソケットの分解斜視図
【図７】（Ａ）は照明器具本体の斜視図、（Ｂ）は（Ａ）中Ｂ部分の拡大図
【図８】（Ａ）は第２実施形態にかかる照明器具の要部を示す斜視図、（Ｂ）は（Ａ）中Ｂ部分の拡大図
【図９】第１のソケットの斜視図
【図１０】蛍光ランプ未装着時における第１のソケットの状態を示す斜視図
【図１１】（Ａ）〜（Ｃ）は本発明の第３実施形態にかかる照明器具において蛍光ランプを装着する工程を示す斜視図
【図１２】第１のソケットの斜視図
【図１３】第１のソケットの分解斜視図
【図１４】第２のソケットの斜視図
【図１５】第２のソケットと蛍光ランプとの取付け状態を示す側面図
【図１６】本発明の第４実施形態にかかる照明器具に用いる蛍光ランプの斜視図
【図１７】蛍光ランプを第１のソケットに装着する状態を示す斜視図
【図１８】第２のソケットの斜視図
【図１９】図１９は本発明の第５実施形態にかかる照明器具の要部を示す斜視図
【図２０】（Ａ）従来の照明器具の斜視図、（Ｂ）（Ａ）中Ｂ−Ｂ位置の断面図
【符号の説明】
【００６１】
１０  照明器具
２０  蛍光ランプ
２１  蛍光管
２２  口金部
２３  ランプピン
２３１  ランプピンの段部（拡径部）
２４  口金部の段部
３０  照明器具本体
３２  窪み
４０  第１のソケット（ソケット）
４１  回動軸
４５  第１のソケットの段部
４８  バネ
５０  第２のソケット（ソケット）
５１３  第２のソケットの段部
５４  保持部材（保持部）
【図１】
2010108648.tif 000003
【図２】
2010108648.tif 000004
【図３】
2010108648.tif 000005
【図４】
2010108648.tif 000006
【図５】
2010108648.tif 000007
【図６】
2010108648.tif 000008
【図７】
2010108648.tif 000009
【図８】
2010108648.tif 000010
【図９】
2010108648.tif 000011
【図１０】
2010108648.tif 000012
【図１１】
2010108648.tif 000013
【図１２】
2010108648.tif 000014
【図１３】
2010108648.tif 000015
【図１４】
2010108648.tif 000016
【図１５】
2010108648.tif 000017
【図１６】
2010108648.tif 000018
【図１７】
2010108648.tif 000019
【図１８】
2010108648.tif 000020
【図１９】
2010108648.tif 000021
【図２０】
2010108648.tif 000022